【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
所定の演出パターンにしたがって演出を実行する演出実行手段と、
複数の演出パターンを記憶する演出パターン記憶手段と、
前記演出パターン記憶手段に記憶された複数の演出パターンから前記所定の演出パターンを決定する演出パターン決定手段と、
電源投入時からの時間計測を行うタイマ手段と、
前記タイマ手段による計測時間が予め設定された所定時間になった場合に、所定のタイマ演出パターンにしたがってタイマ演出を実行するタイマ演出実行手段と、を備え、
前記演出パターン記憶手段は、前記タイマ演出パターンにて出現するキャラクタ画像と共通するキャラクタ画像が出現する内容の演出を含んだ第１の演出パターンと、前記タイマ演出パターンにて出現するキャラクタ画像と共通するキャラクタ画像が出現する内容の演出を含んでいない第２の演出パターンとを記憶しており、
前記演出の開始時期が前記タイマ演出の実行期間と重なる場合に、前記所定の演出パターンとして前記第２の演出パターンを決定することで、決定対象となる前記所定の演出パターンを制限し、
前記タイマ演出実行手段は、電源投入時からの計測時間が前記所定時間になった場合に、所定のタイマ演出パターンにしたがって１回目のタイマ演出を実行し、前記１回目のタイマ演出が終了してからの計測時間が前記所定時間になった場合に、所定のタイマ演出パターンにしたがって２回目のタイマ演出を実行する
ことを特徴とする遊技機。
【請求項２】
所定の演出パターンにしたがって演出を実行する演出実行手段と、
複数の演出パターンを記憶する演出パターン記憶手段と、
前記演出パターン記憶手段に記憶された複数の演出パターンから前記所定の演出パターンを決定する演出パターン決定手段と、
電源投入時からの時間計測を行うタイマ手段と、
前記タイマ手段による計測時間が予め設定された所定時間になった場合に、所定のタイマ演出パターンにしたがってタイマ演出を実行するタイマ演出実行手段と、を備え、
前記演出パターン記憶手段は、前記タイマ演出パターンにて出現するキャラクタ画像と共通するキャラクタ画像が出現する内容の演出を含んだ第１の演出パターンと、前記タイマ演出パターンにて出現するキャラクタ画像と共通するキャラクタ画像が出現する内容の演出を含んでいない第２の演出パターンとを記憶しており、
前記演出の開始時期が、前記タイマ演出の実行期間と重なる場合に、前記所定の演出パターンとして前記第２の演出パターンを決定することで、決定対象となる前記所定の演出パターンを制限し、
前記タイマ演出実行手段は、電源投入時からの計測時間が前記所定時間になる毎に、所定のタイマ演出パターンにしたがってタイマ演出を実行する
ことを特徴とする遊技機。
【請求項３】
所定の演出パターンにしたがって演出を実行する演出実行手段と、
複数の演出パターンを記憶する演出パターン記憶手段と、
前記演出パターン記憶手段に記憶された複数の演出パターンから前記所定の演出パターンを決定する演出パターン決定手段と、
時間計測を行うとともに設定時間を複数設定可能なタイマ手段と、
前記タイマ手段に設定された前記設定時間になった場合に、所定のタイマ演出パターンにしたがってタイマ演出を実行するタイマ演出実行手段と、を備え、
前記演出パターン記憶手段は、前記タイマ演出パターンにて出現するキャラクタ画像と共通するキャラクタ画像が出現する内容の演出を含んだ第１の演出パターンと、前記タイマ演出パターンにて出現するキャラクタ画像と共通するキャラクタ画像が出現する内容の演出を含んでいない第２の演出パターンとを記憶しており、
前記演出の開始時期が、前記タイマ演出の実行期間と重なる場合に、前記所定の演出パターンとして前記第２の演出パターンを決定することで、決定対象となる前記所定の演出パターンを制限し、
前記タイマ演出実行手段は、前記設定時間が第１設定時間になった場合に、所定のタイマ演出パターンにしたがって１回目のタイマ演出を実行し、前記設定時間が第２設定時間になった場合に、所定のタイマ演出パターンにしたがって２回目のタイマ演出を実行する
ことを特徴とする遊技機。
【手続補正２】
【補正対象書類名】明細書
【補正対象項目名】０００６
【補正方法】変更
【補正の内容】
【０００６】
上記目的を達成するため、本発明の遊技機は、
所定の演出パターンにしたがって演出を実行する演出実行手段と、
複数の演出パターンを記憶する演出パターン記憶手段と、
前記演出パターン記憶手段に記憶された複数の演出パターンから前記所定の演出パターンを決定する演出パターン決定手段と、
電源投入時からの時間計測を行うタイマ手段と、
前記タイマ手段による計測時間が予め設定された所定時間になった場合に、所定のタイマ演出パターンにしたがってタイマ演出を実行するタイマ演出実行手段と、を備え、
前記演出パターン記憶手段は、前記タイマ演出パターンにて出現するキャラクタ画像と共通するキャラクタ画像が出現する内容の演出を含んだ第１の演出パターンと、前記タイマ演出パターンにて出現するキャラクタ画像と共通するキャラクタ画像が出現する内容の演出を含んでいない第２の演出パターンとを記憶しており、
前記演出の開始時期が前記タイマ演出の実行期間と重なる場合に、前記所定の演出パターンとして前記第２の演出パターンを決定することで、決定対象となる前記所定の演出パターンを制限し、
前記タイマ演出実行手段は、電源投入時からの計測時間が前記所定時間になった場合に、所定のタイマ演出パターンにしたがって１回目のタイマ演出を実行し、前記１回目のタイマ演出が終了してからの計測時間が前記所定時間になった場合に、所定のタイマ演出パターンにしたがって２回目のタイマ演出を実行することを特徴としている。
また、本発明によれば、
所定の演出パターンにしたがって演出を実行する演出実行手段と、
複数の演出パターンを記憶する演出パターン記憶手段と、
前記演出パターン記憶手段に記憶された複数の演出パターンから前記所定の演出パターンを決定する演出パターン決定手段と、
電源投入時からの時間計測を行うタイマ手段と、
前記タイマ手段による計測時間が予め設定された所定時間になった場合に、所定のタイマ演出パターンにしたがってタイマ演出を実行するタイマ演出実行手段と、を備え、
前記演出パターン記憶手段は、前記タイマ演出パターンにて出現するキャラクタ画像と共通するキャラクタ画像が出現する内容の演出を含んだ第１の演出パターンと、前記タイマ演出パターンにて出現するキャラクタ画像と共通するキャラクタ画像が出現する内容の演出を含んでいない第２の演出パターンとを記憶しており、
前記演出の開始時期が、前記タイマ演出の実行期間と重なる場合に、前記所定の演出パターンとして前記第２の演出パターンを決定することで、決定対象となる前記所定の演出パターンを制限し、
前記タイマ演出実行手段は、電源投入時からの計測時間が前記所定時間になる毎に、所定のタイマ演出パターンにしたがってタイマ演出を実行することを特徴としている。
さらに、本発明によれば、
所定の演出パターンにしたがって演出を実行する演出実行手段と、
複数の演出パターンを記憶する演出パターン記憶手段と、
前記演出パターン記憶手段に記憶された複数の演出パターンから前記所定の演出パターンを決定する演出パターン決定手段と、
時間計測を行うとともに設定時間を複数設定可能なタイマ手段と、
前記タイマ手段に設定された前記設定時間になった場合に、所定のタイマ演出パターンにしたがってタイマ演出を実行するタイマ演出実行手段と、を備え、
前記演出パターン記憶手段は、前記タイマ演出パターンにて出現するキャラクタ画像と共通するキャラクタ画像が出現する内容の演出を含んだ第１の演出パターンと、前記タイマ演出パターンにて出現するキャラクタ画像と共通するキャラクタ画像が出現する内容の演出を含んでいない第２の演出パターンとを記憶しており、
前記演出の開始時期が、前記タイマ演出の実行期間と重なる場合に、前記所定の演出パターンとして前記第２の演出パターンを決定することで、決定対象となる前記所定の演出パターンを制限し、
前記タイマ演出実行手段は、前記設定時間が第１設定時間になった場合に、所定のタイマ演出パターンにしたがって１回目のタイマ演出を実行し、前記設定時間が第２設定時間になった場合に、所定のタイマ演出パターンにしたがって２回目のタイマ演出を実行することを特徴としている。
【手続補正３】
【補正対象書類名】明細書
【補正対象項目名】０００７
【補正方法】変更
【補正の内容】
【０００７】
本発明によれば、タイマ演出と演出が重複して実行される場合には、所定の演出の出現を制限することで、演出に優先してタイマ演出を実行することができ、演出の開始時期が、タイマ演出の実行期間と重なる場合に、タイマ演出と演出が重複して実行されることを防止できる。この結果、タイマ演出と演出が重複して実行されることにより起こり得る演出効果の低下を防ぐことができ、それぞれの演出を効果的に実行することができる。尚、始動口への入球に基づいて行われる演出では、特別図柄の変動表示に伴って演出図柄を変動表示させる図柄変動演出と、演出部材やキャラクタ画像、背景画像を用いた特定演出とが行われる。この特定演出は、演出表示装置で行われる図柄変動演出（演出図柄の変動表示）に伴って行われる。